【手続補正書】
【提出日】平成18年11月10日(2006.11.10)
【手続補正１】
【補正対象書類名】特許請求の範囲
【補正対象項目名】全文
【補正方法】変更
【補正の内容】
【特許請求の範囲】
【請求項１】
天面部に圧縮機を配設した断熱箱体が上下方向に少なくとも二つ以上の断熱区画を設けてあり、前記断熱箱体は内箱と外箱と発泡断熱体と前記発泡断熱体より密度の大きい真空断熱材とで構成され、前記圧縮機は、前記断熱箱体の天面後方に形成した凹み部内に配設し、前記断熱区画の中で最上部に配設された最上部断熱区画に回転扉を備え、前記最上部断熱区画の下部の断熱区画に引出し扉を備えて、前記断熱箱体の高さ寸法をＨ０とし、前記最上部断熱区画に備えられた回転扉の高さ寸法をＨ１としたとき、０．９×Ｈ０／２≦Ｈ１≦１．１×Ｈ０／２の範囲とし、かつ前記最上部断熱区画の下端面より上方に配置された前記真空断熱材の総重量よりも、前記最上部断熱区画の下端面より下方に配置された前記真空断熱材の総重量が大きい冷蔵庫。
【請求項２】
天面部に圧縮機を配設した断熱箱体が上下方向に少なくとも二つ以上の断熱区画を設けてあり、前記断熱箱体は内箱と外箱と発泡断熱体と前記発泡断熱体より密度の大きい真空断熱材とで構成され、前記圧縮機は、前記断熱箱体の天面後方に形成した凹み部内に配設し、前記断熱区画の中で最上部に配設された最上部断熱区画に回転扉を備え、前記最上部断熱区画の下部の断熱区画に引出し扉を備えて、前記断熱箱体の高さ寸法をＨ０とし、前記最上部断熱区画に備えられた回転扉の高さ寸法をＨ１としたとき、０．９×Ｈ０／２≦Ｈ１≦１．１×Ｈ０／２の範囲とし、かつ前記最上部断熱区画の下端面より上方に配置された前記真空断熱材の体積よりも、前記最上部断熱区画の下端面より下方に配置された前記真空断熱材の体積が大きい冷蔵庫。
【請求項３】
断熱箱体の最下部に引出し扉を有する冷凍室を設け、引出し扉を除いて前記冷凍室周囲の両側面と背面と底面とに前記発泡断熱体より密度の大きい真空断熱材を配設した請求項１または２に記載の冷蔵庫。
【請求項４】
最上部断熱区画が冷蔵温度帯に設定された冷蔵室であり、下部断熱区画の少なくとも一部が前記真空断熱材を配設し冷凍温度帯に設定された冷凍室である請求項１から３のいずれか一項に記載の冷蔵庫。
【請求項５】
最上部断熱区画には前記真空断熱材を配設せず、下部断熱区画にのみ前記真空断熱材を配設した請求項４に記載の冷蔵庫。
【請求項６】
真空断熱材はシート状無機繊維集合体をガスバリア性フィルムによって被覆し、内部を減圧した請求項１から５のいずれか一項に記載の冷蔵庫。
【請求項７】
最上部断熱区画よりも下方にある下部断熱区画は、引出し扉を備えた貯蔵室を上下方向に複数有しており、前記下部断熱区画の中で最上段に位置する引出し扉の高さ寸法は、前記下部断熱区画の中で最下段に位置する引出し扉の高さ寸法と比べて小さい請求項１から６のいずれか一項に記載の冷蔵庫。
【請求項８】
最上部断熱区画よりも下方にある下部断熱区画は、引出し扉を備えた貯蔵室を上下方向に複数有するとともに、前記下部断熱区画の中で最上段に位置する区画には引出し扉を備えた貯蔵室が左右方向に複数備えられている請求項１から７のいずれか一項に記載の冷蔵庫。
【手続補正２】
【補正対象書類名】明細書
【補正対象項目名】００１６
【補正方法】変更
【補正の内容】
【００１６】
上記従来の課題を解決するために、本発明の冷蔵庫は、天面部に圧縮機を配設した断熱箱体が上下方向に少なくとも二つ以上の断熱区画を設けてあり、前記断熱箱体は内箱と外箱と発泡断熱体と前記発泡断熱体より密度の大きい真空断熱材とで構成され、前記圧縮機は、前記断熱箱体の天面後方に形成した凹み部内に配設し、前記断熱区画の中で最上部に配設された最上部断熱区画に回転扉を備え、前記最上部断熱区画の下部の断熱区画に引出し扉を備えて、前記断熱箱体の高さ寸法をＨ０とし、前記最上部断熱区画に備えられた回転扉の高さ寸法をＨ１としたとき、０．９×Ｈ０／２≦Ｈ１≦１．１×Ｈ０／２の範囲とし、かつ前記最上部断熱区画の下端面より上方に配置された前記真空断熱材の総重量よりも、前記最上部断熱区画の下端面より下方に配置された前記真空断熱材の総重量が大きいものである。
【手続補正３】
【補正対象書類名】明細書
【補正対象項目名】００１７
【補正方法】変更
【補正の内容】
【００１７】
これによって、真空断熱材の密度が発泡断熱体よりも大きいので、真空断熱材を用いるほど断熱箱体の重量が増加する。真空断熱材の被覆面積を下方重点となるように配置することで冷蔵庫上方に比べて下方の重量を増加させることができる。
そして、下部の引出し扉によって、下部前方に荷重がかかる場合でも、冷凍サイクルの構成機器のうち最も重量の大きい圧縮機を引出し扉の荷重がかかる部分の対角線上である天面後方部に位置させることで、引出し扉を引き出した際の、重心位置の変化を抑制することができ、さらに、最上部断熱区画の下端面を断熱箱体の上下方向のほぼ中心に位置させることができ、回転扉は引出し扉に比べて庫内棚の収納物が移動しないので重心の移動が比較的少なくてすむために、断熱箱体の上部半分の重心移動を少なくすることが可能となり、転倒に対して安定性が向上する。
また、引出し式貯蔵室を開けた時に貯蔵室構造部品および収納物が断熱箱体外部に位置しても、断熱箱体の重量を増加させることができるので、前方方向への転倒に対して安定性が向上する。
さらにまた、引出し式貯蔵室を取外した状態であっても、断熱箱体の引出し式貯蔵室より下部重量が増加することができるので転倒防止の安定性が向上する。
【手続補正４】
【補正対象書類名】明細書
【補正対象項目名】００１９
【補正方法】変更
【補正の内容】
【００１９】
また、本発明の冷蔵庫は、天面部に圧縮機を配設した断熱箱体が上下方向に少なくとも二つ以上の断熱区画を設けてあり、前記断熱箱体は内箱と外箱と発泡断熱体と前記発泡断熱体より密度の大きい真空断熱材とで構成され、前記圧縮機は、前記断熱箱体の天面後方に形成した凹み部内に配設し、前記断熱区画の中で最上部に配設された最上部断熱区画に回転扉を備え、前記最上部断熱区画の下部の断熱区画に引出し扉を備えて、前記断熱箱体の高さ寸法をＨ０とし、前記最上部断熱区画に備えられた回転扉の高さ寸法をＨ１としたとき、０．９×Ｈ０／２≦Ｈ１≦１．１×Ｈ０／２の範囲とし、かつ前記最上部断熱区画の下端面より上方に配置された前記真空断熱材の体積よりも、前記最上部断熱区画の下端面より下方に配置された前記真空断熱材の体積が大きいものである。
【手続補正５】
【補正対象書類名】明細書
【補正対象項目名】００２０
【補正方法】変更
【補正の内容】
【００２０】
これによって、真空断熱材の密度が発泡断熱体よりも大きいので、真空断熱材を用いるほど断熱箱体の重量が増加する。真空断熱材の被覆面積を下方重点となるように配置することで冷蔵庫上方に比べて下方の重量を増加させることができる。
そして、下部の引出し扉によって、下部前方に荷重がかかる場合でも、冷凍サイクルの構成機器のうち最も重量の大きい圧縮機を引出し扉の荷重がかかる部分の対角線上である天面後方部に位置させることで、引出し扉を引き出した際の、重心位置の変化を抑制することができ、さらに、最上部断熱区画の下端面を断熱箱体の上下方向のほぼ中心に位置させることができ、回転扉は引出し扉に比べて庫内棚の収納物が移動しないので重心の移動が比較的少なくてすむために、断熱箱体の上部半分の重心移動を少なくすることが可能となり、転倒に対して安定性が向上する。
また、引出し式貯蔵室を開けた時に貯蔵室構造部品および収納物が断熱箱体外部に位置しても、断熱箱体の重量を増加させることができるので、前方方向への転倒に対して安定性が向上する。
さらにまた、引出し式貯蔵室を取外した状態であっても、断熱箱体の引出し式貯蔵室より下部重量が増加することができるので転倒防止の安定性が向上する。
【手続補正６】
【補正対象書類名】明細書
【補正対象項目名】００２３
【補正方法】変更
【補正の内容】
【００２３】
請求項１に記載の発明は、天面部に圧縮機を配設した断熱箱体が上下方向に少なくとも二つ以上の断熱区画を設けてあり、前記断熱箱体は内箱と外箱と発泡断熱体と前記発泡断熱体より密度の大きい真空断熱材とで構成され、前記圧縮機は、前記断熱箱体の天面後方に形成した凹み部内に配設し、前記断熱区画の中で最上部に配設された最上部断熱区画に回転扉を備え、前記最上部断熱区画の下部の断熱区画に引出し扉を備えて、前記断熱箱体の高さ寸法をＨ０とし、前記最上部断熱区画に備えられた回転扉の高さ寸法をＨ１としたとき、０．９×Ｈ０／２≦Ｈ１≦１．１×Ｈ０／２の範囲とし、かつ前記最上部断熱区画の下端面より上方に配置された前記真空断熱材の総重量よりも、前記最上部断熱区画の下端面より下方に配置された前記真空断熱材の総重量が大きいものである。
【手続補正７】
【補正対象書類名】明細書
【補正対象項目名】００２４
【補正方法】変更
【補正の内容】
【００２４】
これによって、真空断熱材の密度が発泡断熱体よりも大きいので、真空断熱材を用いるほど断熱箱体の重量が増加する。真空断熱材の被覆面積を下方重点となるように配置することで冷蔵庫上方に比べて下方の重量を増加させることができ、転倒に対する安定性が向上する。
そして、下部の引出し扉によって、下部前方に荷重がかかる場合でも、冷凍サイクルの構成機器のうち最も重量の大きい圧縮機を引出し扉の荷重がかかる部分の対角線上である天面後方部に位置させることで、引出し扉を引き出した際の、重心位置の変化を抑制することができ、さらに、最上部断熱区画の下端面を断熱箱体の上下方向のほぼ中心に位置させることができ、回転扉は引出し扉に比べて庫内棚の収納物が移動しないので重心の移動が比較的少なくてすむために、断熱箱体の上部半分の重心移動を少なくすることが可能となり、転倒に対して安定性が向上する。
また、引出し式貯蔵室を開けた時に貯蔵室構造部品および収納物が断熱箱体外部に位置しても、断熱箱体の重量を増加させることができるので、前方方向への転倒に対して安定性が向上する。
さらにまた、引出し式貯蔵室を取外した状態であっても、断熱箱体の引出し式貯蔵室より下部重量が増加することができるので転倒防止の安定性が向上する。
【手続補正８】
【補正対象書類名】明細書
【補正対象項目名】００２６
【補正方法】変更
【補正の内容】
【００２６】
請求項２に記載の発明は、天面部に圧縮機を配設した断熱箱体が上下方向に少なくとも二つ以上の断熱区画を設けてあり、前記断熱箱体は内箱と外箱と発泡断熱体と前記発泡断熱体より密度の大きい真空断熱材とで構成され、前記圧縮機は、前記断熱箱体の天面後方に形成した凹み部内に配設し、前記断熱区画の中で最上部に配設された最上部断熱区画に回転扉を備え、前記最上部断熱区画の下部の断熱区画に引出し扉を備えて、前記断熱箱体の高さ寸法をＨ０とし、前記最上部断熱区画に備えられた回転扉の高さ寸法をＨ１としたとき、０．９×Ｈ０／２≦Ｈ１≦１．１×Ｈ０／２の範囲とし、かつ前記最上部断熱区画の下端面より上方に配置された前記真空断熱材の体積よりも、前記最上部断熱区画の下端面より下方に配置された前記真空断熱材の体積が大きいものである。
【手続補正９】
【補正対象書類名】明細書
【補正対象項目名】００２７
【補正方法】変更
【補正の内容】
【００２７】
これによって、発泡断熱体よりも密度の大きい真空断熱材の厚みを変えたり、複数枚重ねて使ったりすることで、下方重点となるように真空断熱材を配置でき冷蔵庫上方に比べて下方の重量を増加させて転倒に対する安定性が向上する。
そして、下部の引出し扉によって、下部前方に荷重がかかる場合でも、冷凍サイクルの構成機器のうち最も重量の大きい圧縮機を引出し扉の荷重がかかる部分の対角線上である天面後方部に位置させることで、引出し扉を引き出した際の、重心位置の変化を抑制することができ、さらに、最上部断熱区画の下端面を断熱箱体の上下方向のほぼ中心に位置させることができ、回転扉は引出し扉に比べて庫内棚の収納物が移動しないので重心の移動が比較的少なくてすむために、断熱箱体の上部半分の重心移動を少なくすることが可能となり、転倒に対して安定性が向上する。
また、引出し式貯蔵室を開けた時に貯蔵室構造部品および収納物が断熱箱体外部に位置しても、断熱箱体の重量を増加させることができるので、前方方向への転倒に対して安定性が向上する。
さらにまた、引出し式貯蔵室を取外した状態であっても、断熱箱体の引出し式貯蔵室より下部重量が増加することができるので転倒防止の安定性が向上する。
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】削除
【補正の内容】
【手続補正１５】
【補正対象書類名】明細書
【補正対象項目名】００３４
【補正方法】変更
【補正の内容】
【００３４】
請求項３に記載の発明は、請求項１または２に記載の発明において、断熱箱体の最下部に引出し扉を有する冷凍室を設け、引出し扉を除いて前記冷凍室周囲の両側面と背面と底面とに前記発泡断熱体より密度の大きい真空断熱材を配設したことを特徴とする。
【手続補正１６】
【補正対象書類名】明細書
【補正対象項目名】００３６
【補正方法】変更
【補正の内容】
【００３６】
請求項４に記載の発明は、請求項１から３のいずれか一項に記載の発明において、最上部断熱区画が冷蔵温度帯に設定された冷蔵室であり、下部断熱区画の少なくとも一部が前記真空断熱材を配設し冷凍温度帯に設定された冷凍室であることを特徴とする。
【手続補正１７】
【補正対象書類名】明細書
【補正対象項目名】００３８
【補正方法】変更
【補正の内容】
【００３８】
請求項５に記載の発明は、請求項４に記載の発明において、最上部断熱区画には前記真空断熱材を配設せず、下部断熱区画にのみ前記真空断熱材を配設したことを特徴とする。
【手続補正１８】
【補正対象書類名】明細書
【補正対象項目名】００４０
【補正方法】変更
【補正の内容】
【００４０】
また、請求項６に記載の発明は、請求項１から５のいずれか一項に記載の発明において、真空断熱材はシート状無機繊維集合体をガスバリア性フィルムによって被覆し、内部を減圧したことを特徴とするので、薄く平面性のよい真空断熱材の構成が可能であり、比較的薄い断熱壁を有する断熱箱体への適用が可能であり、真空断熱材配置の自由度も高い。
【手続補正１９】
【補正対象書類名】明細書
【補正対象項目名】００４４
【補正方法】削除
【補正の内容】
【手続補正２０】
【補正対象書類名】明細書
【補正対象項目名】００４５
【補正方法】削除
【補正の内容】
【手続補正２１】
【補正対象書類名】明細書
【補正対象項目名】００４６
【補正方法】変更
【補正の内容】
【００４６】
また、請求項７に記載の発明は、請求項１から６のいずれか一項に記載の発明において、回転扉を備えた断熱区画の下方にある引出し扉を備えた下部断熱区画が上下方向に少なくとも２つの引出し構成を有しており、最上段引出しの扉高さは下段引出しの扉高さと比べて小さいことを特徴とする。
【手続補正２２】
【補正対象書類名】明細書
【補正対象項目名】００４８
【補正方法】変更
【補正の内容】
【００４８】
また、請求項８に記載の発明は、請求項１から７のいずれか一項に記載の発明において、回転扉を備えた断熱区画の下部にある引出し扉を備えた断熱区画が上下方向に少なくとも２つの引出し構成を有しており、最上段引出しは左右方向に少なくとも２つの引出し構成を有していることを特徴とするので、最上段引出しの各々の扉重量や内容積が小さくできるので、最上段引出し扉の開放による重心位置の変化を更に少なくすることが可能であり、転倒に対する安定化を図ることができる。